(57)【要約】 【課題】  複数のサブハウジングの挿入状態の正否を簡単に判定する。【解決手段】  バスバー収容部１０の後部には、バスバー３０を抜け止めするためのカバー４０が被せ付けられる。カバー４０には検知片４７が突出して形成されている。バスバー収容部１０に形成された複数のハウジング収容室１３に、それぞれ対応するサブハウジング７０が正規挿入されることによってハウジングロック部２１が正規姿勢をとる場合には、そのハウジングロック部２１と検知片４７とが非干渉とされてカバー４０の組み付け動作が許容される。一方、各ハウジング収容室１３に対応するサブハウジング７０が半挿入状態にあってハウジングロック部２１が正規姿勢から浮いた姿勢をとる場合には、そのハウジングロック部２１と検知片４７とが干渉してカバー４０の組み付け動作が規制される。【選択図】  図２
2006324045.tif 000002
【特許請求の範囲】
【請求項１】
バスバーを装着可能な合成樹脂製のバスバー収容部を備えたジョイントコネクタにおいて、
前記バスバー収容部の前面には、複数のサブハウジングを収容可能なハウジング収容室が開口して形成され、前記ハウジング収容室には前記各サブハウジングを抜け止め状態で弾性係止する撓み変形可能なハウジングロック部が形成され、さらに、前記バスバー収容部には相手部材が組み付けられるようになっており、
前記相手部材には、前記ハウジングロック部に対応して検知片が形成され、前記検知片は、前記ハウジング収容室に前記サブハウジングが正規挿入されることによって前記ハウジングロック部が正規姿勢をとる場合には、そのハウジングロック部と非干渉とされて前記相手部材の組み付け動作を許容する一方、前記サブハウジングが半挿入状態にあって前記ハウジングロック部が前記正規姿勢から浮いた姿勢をとる場合には、そのハウジングロック部と干渉して前記相手部材の組み付け動作を規制する構成としたことを特徴とするジョイントコネクタ。
【請求項２】
前記バスバーの後端部は前記バスバー収容部の後面に露出して配されており、前記相手部材は前記バスバー収容部の後部に組み付けられて前記バスバーの抜け止めをなすカバーによって構成されており、かつ、前記検知片は、前記カバーの前面から突出して形成されていることを特徴とする請求項１に記載のジョイントコネクタ。
【請求項３】
前記ハウジングロック部は前記ハウジング収容室の外側面に露出して配されており、このハウジングロック部の露出部分を切り欠いて検知片進入溝が凹設されており、前記ハウジングロック部が正規姿勢をとる場合に、前記ハウジングロック部の露出部分を覆うようにして前記検知部が前記検知片進入溝に進入可能となっていることを特徴とする請求項１または請求項２に記載のジョイントコネクタ。
【請求項４】
前記検知片進入溝は、前記検知片の進入方向に延出して形成され、前記相手部材の組み付け動作を案内可能となっていることを特徴とする請求項３に記載のジョイントコネクタ。
【請求項５】
前記相手部材は、前記バスバー収容部の外側面に浮いた状態で保持される仮係止位置と、そこから押し込まれて前記バスバー収容部の外側面に当着可能に保持される本係止位置との間を変位可能となっており、
前記相手部材が前記仮係止位置にあるときに、前記サブハウジングの前記ハウジング収容室への挿入動作が許容され、かつ、
前記相手部材が前記本係止位置へと押し込み可能な場合には前記ハウジングロック部が正規姿勢をとって前記サブハウジングが正規挿入されていると判定可能とされ、前記相手部材が前記本係止位置へと押し込み不能な場合には前記ハウジングロック部が正規姿勢から浮いた姿勢をとって前記サブハウジングが半挿入状態にあると判定可能とされることを特徴とする請求項１ないし請求項４のいずれかに記載のジョイントコネクタ。
【請求項６】
前記相手部材は、一面に形成された開口部から前記ハウジングロック部を含む部分を挿入可能な収容凹部を備えた枠治具によって構成され、前記収容凹部の内面には段差状をなす受け面が形成されており、
前記ハウジングロック部が前記受け面と非干渉とされて前記ハウジングロック部を含む部分の前記収容凹部の奥方への挿入動作が許容される場合には、前記ハウジングロック部が正規姿勢をとって前記サブハウジングが正規挿入されていると判定可能とされ、前記ハウジングロック部が前記受け面と干渉して前記ハウジングロック部を含む部分の前記収容凹部の奥方への挿入動作が規制される場合には、前記ハウジングロック部が正規姿勢から浮いた姿勢をとって前記サブハウジングが半挿入状態にあると判定可能とされることを特徴とする請求項１に記載のジョイントコネクタ。
【請求項７】
前記枠治具における前記収容凹部の奥面には、リミットスイッチが配備されており、前記ハウジングロック部を含む部分が前記リミットスイッチの接点を押圧するか否かによって前記サブハウジングの挿入状態の正否を判定可能とされることを特徴とする請求項６に記載のジョイントコネクタ。
【発明の詳細な説明】
【技術分野】
【０００１】
本発明は、ジョイントコネクタに関する。
【背景技術】
【０００２】
ジョイントコネクタの一例として、特許文献１に記載されたものがある。これは、タブ片を並列させたバスバーと、バスバーを装着するバスバー収容部と、バスバー収容部の後面に被せ付けられてバスバーの抜け出しを防止するカバーとを備えている。バスバー収容部の前面には相手側ハウジングと嵌合可能な嵌合凹部が開口して形成され、バスバーのタブ片は嵌合凹部内に突出して配されている。バスバーの後端部はバスバー収容部の後面に露出して配されており、この露出部分を覆うようにしてカバーが被着される。そして、嵌合凹部内に相手側ハウジングが正規深さで嵌合すると、相手側の端子金具とバスバーのタブ片とが接続され、もって端子金具同士がバスバーを介して短絡されるようになっている。
【特許文献１】特開２００４−２２３１９公報
【発明の開示】
【発明が解決しようとする課題】
【０００３】
ところで、上記の場合には、相手側ハウジングがバスバー収容部に正規嵌合したか否かを構造的にチェックする機構をもち合わせていなかった。そのため、事後的に相手側ハウジングの挿入状態の正否を判定する必要があった。その場合、仮に、相手側ハウジングが単一部品ではなく複数のサブハウジングによって構成され、しかもこれらサブハウジングを、正規挿入されているものも含めて一つ一つその挿入状態をチェックするとなると、作業が煩雑化して手間がかかるという問題があった。
【０００４】
本発明は上記のような事情に基づいて完成されたものであって、複数のサブハウジングの挿入状態の正否を簡単に判定することを目的とする。
【課題を解決するための手段】
【０００５】
上記の目的を達成するための手段として、請求項１の発明は、バスバーを装着可能な合成樹脂製のバスバー収容部を備えたジョイントコネクタにおいて、前記バスバー収容部の前面には、複数のサブハウジングを収容可能なハウジング収容室が開口して形成され、前記ハウジング収容室には前記各サブハウジングを抜け止め状態で弾性係止する撓み変形可能なハウジングロック部が形成され、さらに、前記バスバー収容部には相手部材が組み付けられるようになっており、前記相手部材には、前記ハウジングロック部に対応して検知片が形成され、前記検知片は、前記ハウジング収容室に前記サブハウジングが正規挿入されることによって前記ハウジングロック部が正規姿勢をとる場合には、そのハウジングロック部と非干渉とされて前記相手部材の組み付け動作を許容する一方、前記サブハウジングが半挿入状態にあって前記ハウジングロック部が前記正規姿勢から浮いた姿勢をとる場合には、そのハウジングロック部と干渉して前記相手部材の組み付け動作を規制する構成としたところに特徴を有する。
【０００６】
請求項２の発明は、請求項１に記載のものにおいて、前記バスバーの後端部は前記バスバー収容部の後面に露出して配されており、前記相手部材は前記バスバー収容部の後部に組み付けられて前記バスバーの抜け止めをなすカバーによって構成されており、かつ、前記検知片は、前記カバーの前面から突出して形成されているところに特徴を有する。
【０００７】
請求項３の発明は、請求項１または請求項２に記載のものにおいて、前記ハウジングロック部は前記ハウジング収容室の外側面に露出して配されており、このハウジングロック部の露出部分を切り欠いて検知片進入溝が凹設されており、前記ハウジングロック部が正規姿勢をとる場合に、前記ハウジングロック部の露出部分を覆うようにして前記検知部が前記検知片進入溝に進入可能となっているところに特徴を有する。
請求項４の発明は、請求項３に記載のものにおいて、前記検知片進入溝は、前記検知片の進入方向に延出して形成され、前記相手部材の組み付け動作を案内可能となっているところに特徴を有する。
【０００８】
請求項５の発明は、請求項１ないし請求項４のいずれかに記載のものにおいて、前記相手部材は、前記バスバー収容部の外側面に浮いた状態で保持される仮係止位置と、そこから押し込まれて前記バスバー収容部の外側面に当着可能に保持される本係止位置との間を変位可能となっており、前記相手部材が前記仮係止位置にあるときに、前記サブハウジングの前記ハウジング収容室への挿入動作が許容され、かつ、前記相手部材が前記本係止位置へと押し込み可能な場合には前記ハウジングロック部が正規姿勢をとって前記サブハウジングが正規挿入されていると判定可能とされ、前記相手部材が前記本係止位置へと押し込み不能な場合には前記ハウジングロック部が正規姿勢から浮いた姿勢をとって前記サブハウジングが半挿入状態にあると判定可能とされるところに特徴を有する。
【０００９】
請求項６の発明は、請求項１に記載のものにおいて、前記相手部材は、一面に形成された開口部から前記ハウジングロック部を含む部分を挿入可能な収容凹部を備えた枠治具によって構成され、前記収容凹部の内面には段差状をなす受け面が形成されており、前記ハウジングロック部が前記受け面と非干渉とされて前記ハウジングロック部を含む部分の前記収容凹部の奥方への挿入動作が許容される場合には、前記ハウジングロック部が正規姿勢をとって前記サブハウジングが正規挿入されていると判定可能とされ、前記ハウジングロック部が前記受け面と干渉して前記ハウジングロック部を含む部分の前記収容凹部の奥方への挿入動作が規制される場合には、前記ハウジングロック部が正規姿勢から浮いた姿勢をとって前記サブハウジングが半挿入状態にあると判定可能とされるところに特徴を有する。
【００１０】
請求項７の発明は、請求項６に記載のものにおいて、前記枠治具における前記収容凹部の奥面には、リミットスイッチが配備されており、前記ハウジングロック部を含む部分が前記リミットスイッチの接点を押圧するか否かによって前記サブハウジングの挿入状態の正否を判定可能とされるところに特徴を有する。
【発明の効果】
【００１１】
＜請求項１の発明＞
ハウジング収容室に各サブハウジングが正規挿入されると、ハウジングロック部が正規姿勢をとって各サブハウジングを抜け止め状態で弾性係止する。一方、各サブハウジングが半挿入状態にあると、つまり、ハウジング収容室に各サブハウジングが正規挿入される前の途中段階で留め置かれると、ハウジングロック部が正規姿勢から浮いた姿勢をとる。
ここで、相手部材に形成された検知片がハウジングロック部と非干渉とされる場合には相手部材のバスバー収容部への組み付け動作が許容され、これにより、ハウジング収容室に各サブハウジングが正規挿入されていることがわかる。一方、検知片がハウジングロック部と干渉する場合には相手部材のバスバー収容部への組み付け動作が規制され、これにより、ハウジング収容室に各サブハウジングが半挿入状態にあることがわかる。つまり、相手部材がバスバー収容部に組み付け可能か否かによって各サブハウジングの挿入状態の正否を容易に判定することができる。
【００１２】
＜請求項２の発明＞
相手部材がバスバー収容部の後部に組み付けられてバスバーの抜け止めをなすカバーによって構成され、検知片がカバーの前面から突出して形成されている。したがって、カバーがバスバーを抜け止めする機能とサブハウジングの挿入状態を検知する機能の両機能をあわせもつことになり、検知機能をもつ部材を別途設けなくて済むから、部品点数を減らすことができる。
【００１３】
＜請求項３の発明＞
検知片は、ハウジングロック部が正規姿勢をとる場合に、ハウジングロック部の露出部分を覆うようにしてそこに形成された検知片進入溝に進入する。したがって、ハウジングロック部がロック解除方向に不用意に撓み変形する事態を回避できるとともに、ハウジングロック部の露出部分を通してバスバー収容部内に異物が侵入するのを防止できる。
＜請求項４の発明＞
検知片進入溝が検知片の進入方向に延出して形成され、これにより相手部材の組み付け動作が案内される。したがって、検知片進入溝が検知機能とガイド機能の両機能をあわせもつことになり、部品点数を減らすことができる。
【００１４】
＜請求項５の発明＞
相手部材をバスバー収容部の外側面から浮かせて仮保持位置に留め置き、その状態でサブハウジングをハウジング収容室に挿入する。その後、相手部材を本係止位置に押し込んでバスバー収容部の外側面に当着させる。このとき、相手部材の押し込み動作が可能であれば、サブハウジングが正規挿入されていると判定でき、一方、相手部材の押し込み動作が不能であれば、サブハウジングが半挿入状態にあると判定できる。請求項５の発明によれば、相手部材を仮係止状態として組み付け現場に運搬等することが可能となるから、携帯便利で取り扱い性に優れる。
【００１５】
＜請求項６の発明＞
ハウジングロック部を含む部分を枠治具の一面に形成された開口部を通して収容凹部に挿入する。このとき、ハウジングロック部が正規姿勢をとることで収容凹部の内面に形成された段差状をなす受け面と非干渉であれば、ハウジングロック部を含む部分が収容凹部の奥方へ挿入可能とされ、これにより、サブハウジングがハウジング収容室に正規挿入されていることがわかる。一方、ハウジングロック部が正規姿勢から浮いた姿勢をとることで収容凹部の受け面と干渉すれば、ハウジングロック部を含む部分が収容凹部へ挿入不能となり、これにより、サブハウジングが半挿入状態にあることがわかる。請求項６の発明によれば、相手部材として枠治具を準備し、この枠治具に受け面を設けるだけでサブハウジングの挿入状態の検査が可能となるから、構造を簡略化できる。
【００１６】
＜請求項７の発明＞
ハウジングロック部が収容凹部の受け面と非干渉であれば、ハウジングロック部を含む部分が正規深さで収容凹部に挿入されて、リミットスイッチの接点を押圧することになる。一方、ハウジングロック部が収容凹部の受け面と干渉すれば、ハウジングロック部を含む部分が正規深さで収容凹部に挿入されず、リミットスイッチの接点を押圧することができない。請求項７の発明によれば、サブハウジングの挿入状態を検査するに際し、リミットスイッチにより電気的に検知できるようにしたから、目視による場合に比べ検査精度を高めることができる。
【発明を実施するための最良の形態】
【００１７】
＜実施形態１＞
本発明の実施形態１を図１ないし図１２によって説明する。本実施形態のジョイントコネクタ１は、複数のバスバー３０と、これらバスバー３０を装着するバスバー収容部１０と、このバスバー収容部１０の後面に覆設されるカバー４０とを備えている。なお、以下の説明において前後方向については、図１の右側を前方とする。
【００１８】
バスバー３０は、金属板材をプレス加工等して形成されたものであり、図１２に示すように、バスバー収容部１０の幅方向（左右方向）に配される帯状のバスバー本体３１と、このバスバー本体３１の前縁にて一定間隔をあけて前方へ突出する複数本のタブ片３２とからなる。このバスバー３０は、バスバー収容部１０に対し後方から圧入により装着され、回路構成に応じてバスバー収容部１０の高さ方向に複数段（図示する場合は４段）に分かれて配されている。
【００１９】
バスバー収容部１０は、合成樹脂材により一体に形成され、図１に示すように、高さ方向に立ち上げられたブロック状のバスバー装着部１１と、このバスバー装着部１１の前面から前方へ突出して形成され、幅方向（左右方向）に複数室（図示する場合は６室）のハウジング収容室１３を区分けした筒状の嵌合凹部１２とからなる。そして、バスバー収容部１０の両側面のうち図５に示す左側面（以下、図５を左右方向の基準とする）には、バスバー装着部１１の後端からハウジング収容室１３の前端寄りにかけて、図示しない取付対象に固定可能とされた取付部１４が形成されている。取付部１４は、高さ方向に間隔をあけて配されるとともに前後方向に延出する上下一対のレール部１４Ａとその間に配されるロック突部１４Ｂとからなる。このジョイントコネクタ１は、レール部１４Ａに沿って前方から取付対象にスライド装着され、かつロック突部１４Ｂのロックによって取付対象に固定されるようになっている。
【００２０】
また、バスバー装着部１１の両側面の中央高さ位置には、図１０に示すように、略方形をなす本係止凹部１５Ａと仮係止凹部１５Ｂとが前後に並んで設けられている。このうち前側に位置する本係止凹部１５Ａには、図１２に示すように、カバー４０に形成された弾性係止部４１の係止爪４１Ａが嵌まり込み、これにより、カバー４０がバスバー収容部１０の後面に当着可能な状態で本係止されるようになっている。一方、後側に位置する仮係止凹部１５Ｂには、同じく弾性係止部４１の係止爪４１Ａが嵌まり込み、これにより、カバー４０がバスバー収容部１０の後面から浮いた状態で仮係止されるようになっている。
本係止凹部１５Ａの前縁にはここから段差１２Ｅを介して一回り大きくなった嵌合凹部１２が連なっており、対応する嵌合凹部１２の後縁にはカバー４０の弾性係止部４１との干渉を回避するための逃がし部１６が切り欠きにより形成されている。
【００２１】
バスバー装着部１１の後面には、図４に示すように、後方からバスバー３０を装着可能なバスバー収容室１７が高さ方向に複数段（図示する場合は４段）に分かれて形成されている。バスバー収容室１７は、横向きのスリット状に開口してバスバー本体３１を収容可能なバスバー本体収容部１７Ａとバスバー３０のタブ片３２と対応する位置にあってタブ片３２を貫通させるタブ片挿通孔１７Ｂとを備える。バスバー装着部１１のうち、幅方向で隣接する各タブ片挿通孔１７Ｂの間には、カバー４０に形成された係合部４２と係合可能な係合受け部１８が高さ方向に凹設されている。バスバー収容室１７は、係合受け部１８によって幅方向の複数箇所（図示する場合は５箇所）にて分断されている。また、係合受け部１８及びバスバー収容室１７の各開口縁には全周に亘って面取りが施されている。
【００２２】
タブ片３２の先端部は、タブ片挿通孔１７Ｂを貫通したあと対応するハウジング収容室１３毎に縦一列となって突出して配される。各ハウジング収容室１３には、相手側のサブハウジング７０が嵌入され、これによりサブハウジング７０内に収容された図示しない相手側の雌端子金具とタブ片３２とが接続可能となっている。そして、互いに隣接するサブハウジング７０に収容された雌端子金具同士は、対応するバスバー３０のバスバー本体３１を介して横列毎に短絡されるようになっている。
【００２３】
嵌合凹部１２の上壁のうち、各ハウジング収容室１３毎に対応する位置には、図１に示すように、サブハウジング７０を抜け止めするランス状のハウジングロック部２１が形成されている。各ハウジングロック部２１は、嵌合凹部１２の上壁に切り入れられた左右一対のスリット１２Ｆ間にて後方へ向けて片持ち状に延出する形態とされ、その上面が露出した状態となっている。ハウジングロック部２１の後端側には、サブハウジング７０に形成された係止受け部７１と係止可能な係止突部２２がハウジング収容室１３側に突出して形成されている。係止突部２２の前面は、サブハウジング７０の挿入方向に沿ってテーパ状をなす案内面２２Ａとされ、係止突部２２の後面は、突出端側に行くにつれ僅かに後退する係止面２２Ｂとされる。
そして、各ハウジングロック部２１の上面には、後述する検知片４７の進入を許容する検知片進入溝２９が凹設されている。検知片進入溝２９は、ハウジングロック部２１の後端に開口して前後方向に延出する形態とされ、断面コの字形でかつ長さ方向に同幅をもって構成されている。
【００２４】
相手側のサブハウジング７０は、合成樹脂製であって、図１及び図９に示すように、複数種用意されてそれぞれ立壁状に形成され、対応するハウジング収容室１３に縦向きの姿勢で挿入可能となっている。上記した係止受け部７１は、サブハウジング７０の上面後端に突出して形成されており、その前面が突出端側へ行くにつれ前方へ僅かに傾く被係止面７１Ａとされる。サブハウジング７０の側面にはハウジング収容室１３の内壁に形成されたガイド部２３と係合可能なガイド受け部７２が前後方向に沿って複数形成され、これらガイド部２３とガイド受け部７２とが互いに摺接することでサブハウジング７０の嵌入動作が案内される。
【００２５】
また、ガイド部２３とガイド受け部７２とは、それぞれ左右非対称な構造となっており、サブハウジング７０の逆挿入を防止するための識別作用を発揮するようになっている。さらに、サブハウジング７０の側面には、正規挿入された雌端子金具を抜け止めするためのリテーナ７３が形成されている。このリテーナ７３は、サブハウジング７０の側面に浮いた状態から内部へ押し込まれて雌端子金具に係止可能となっている。
【００２６】
各サブハウジング７０が対応するハウジング収容室１３に挿入されると、その挿入途中で係止受け部７１の後面と係止突部２２の案内面２２Ａとが摺接し、その摺接動作に伴って対応するハウジングロック部２１が上方へ撓み変形し、これによりハウジングロック部２１がハウジング収容室１３の上面から浮いた状態となる。そののち各サブハウジング７０が正規挿入されると、係止受け部７１が係止突部２２を乗り換えてハウジングロック部２１が弾性復元して正規姿勢となり、係止突部２２の係止面２２Ｂと係止受け部７１の被係止面７１Ａとが各サブハウジング７０の抜け方向で係止し合うようになっている。また、各サブハウジング７０が正規挿入されることにより、各サブハウジング７０に収容された雌端子金具が対応するバスバー３０のタブ片３２と正規深さで嵌合接続される。
【００２７】
カバー４０は、合成樹脂材によりバスバー収容部１０とは別体として形成され、前面を開放させたキャップ状をなしている。詳しくはカバー４０は、図６ないし図８に示すように、背面を構成する後壁４３と、この後壁４３の両側縁から前方へ突出する左右一対の側壁４４Ａ，４４Ｂと、後壁４３の上下両縁から前方へ突出する上壁４５及び下壁４６とからなる。このカバー４０は、バスバー装着部１１を被覆するようにしてバスバー収容部１０に被せ付けられ、その前縁が嵌合凹部１２の段差１２Ｅに当着可能となっている。下壁４６の両側部には、バスバー装着部１１の後面下端両側部に形成された両側突部１１Ａと係合可能な両側受け部４６Ａが凹設されている。カバー４０が正規姿勢をとっていると、両側突部１１Ａが両側受け部４６Ａに進入してカバー４０の装着動作が許容されるが、カバー４０が反転姿勢をとっていると、両側突部１１Ａがカバー４０の上壁４５と干渉してカバー４０の装着動作が阻止されるようになっている。
【００２８】
カバー４０の両側壁４４Ａ，４４Ｂの中央高さ位置には、内外に撓み変形可能とされた左右一対の弾性係止部４１が形成されている。両側壁４４Ａ，４４Ｂのうちの左側の側壁４４Ａには、カバー４０の装着時に取付部１４のレール部１４Ａの突入を許容する上下一対の逃がし凹部４４Ｅが形成されており、両逃がし凹部４４Ｅ間にて左側の弾性係止部４１の撓み変形動作が可能となっている。また、両側壁４４Ａ，４４Ｂのうちの右側の側壁４４Ｂには、上下一対のスリット４４Ｆが形成されており、両スリット４４Ｆ間にて右側の弾性係止部４１の撓み変形動作が可能となっている。各弾性係止部４１の前端位置と突片４７の前端位置とは、ほぼ同じ位置に揃えられている。
【００２９】
弾性係止部４１の前端部には、係止爪４１Ａが内向きに突出して形成されている。また、カバー４０の後壁４３において係止爪４１Ａを後方に投影した位置には、係止爪４１Ａを成形するための型抜き孔４３Ａが開口して形成されている。カバー４０は、弾性係止部４１の係止爪４１Ａが仮係止凹部１５Ｂに弾性的に嵌まり込むことにより、バスバー収容部１０の後面から浮いた仮係止位置に留め置かれる。また、仮係止位置にあるカバー４０が前方へ押し込まれると、係止爪４１Ａが仮係止凹部１５Ｂから抜け出たあと本係止凹部１５Ａに弾性的に嵌まり込み、これにより、カバー４０はバスバー収容部１０の後面に当着可能な本係止位置に留め置かれる。
【００３０】
カバー４０の後壁４３の前面（内側面）には、幅方向に一定間隔をあけて複数条（図示する場合は５条）の係合部４２が形成されている。係合部４２は、高さ方向に延出するリブ状をなし、高さ方向に一定間隔をあけた複数箇所（図示する場合は３箇所）から前方へ向けて突出する係合突部４２Ａと、各係合突部４２Ａの間に位置する押さえ部４２Ｂとからなる。この係合部４２は、カバー４０が本係止されることでバスバー装着部１１の係合受け部１８に嵌入するようになっており、これにより各係合突部４２Ａが係合受け部１８に深く進入するとともに、押さえ部４２Ｂがバスバー３０の後端部と当接してここを前方へ押しやるようになっている。
【００３１】
さて、カバー４０の上壁４５には、幅方向に所定間隔をあけて前方へ突出する板状の検知片４７が複数形成されている。各検知片４７は、図７に示すように、各ハウジングロック部２１毎に対応して配設され、ハウジングロック部２１の成形に伴いハウジング収容室１３の上壁に形成された露出部分を被覆可能とされる、幅広の覆い部４７Ｂを基端側に有するとともに、ハウジングロック部２１に凹設された検知片進入溝２９に進入可能とされる、覆い部４７Ｂよりも幅狭の検知突部４７Ａを先端側に有している。検知突部４７Ａは、前後方向に延出する形態とされ、検知片進入溝２９に対し幅方向にがたつくことなく進入し、これによってその進入動作が案内されるようになっている。また、検知突部４７Ａの先端部は、先端に行くにしたがって幅狭となっており、これにより検知片進入溝２９の入り口に円滑に誘い込まれるようになっている。なお、カバー４０の上壁４５の上面と、自然状態にあるハウジングロック部２１の上面とは、ほぼ同じ高さに設定されており、両者を連ねる仮想延長線上に段差が生じないようにしてある。
【００３２】
次に、本実施形態の作用を説明する。まず、バスバー収容部１０に対して後方からバスバー３０を圧入により順次装着する。すると、バスバー本体３１がバスバー装着部１１のバスバー本体収容部１７Ａに密着状態で収容されるとともにタブ片３２の先端部がタブ片挿通孔１７Ｂを抜けて嵌合凹部１２のハウジング収容室１３内に突出した状態で配される。また、図１に示すように、バスバー収容部１０に対し後方からカバー４０を被せ付け、弾性係止部４１の係止爪４１Ａを仮係止凹部１５Ｂに弾性係止させることにより、カバー４０を仮係止位置に留め置き、その状態でサブハウジング７０との組み付け現場に移送する。
【００３３】
組み付け現場においては、図９に示すように、嵌合凹部１２のハウジング収容室１３に対して対応するサブハウジング７０をそれぞれ前方から挿入する。サブハウジング７０が正規姿勢をとっていれば、ガイド部２３とガイド受け部７２との合致により挿入動作が進行し、これによりサブハウジング７０が正規姿勢で挿入されたことを確認できる。
各サブハウジング７０が対応するハウジング収容室１３に正規挿入されると、係止突部２２がバスバー収容部１０に形成されたハウジングロック部２１に弾性係止され、サブハウジング７０が抜け止めされる。また同時に、各サブハウジング７０内に収容された複数の雌端子金具が対応するバスバー３０のタブ片３２と接触状態で嵌合し、もって雌端子金具が各バスバー３０を介して横列毎に短絡された状態となる。
【００３４】
その後、図２に示すように、仮係止位置にあるカバー４０を前方へ押し込み、弾性係止部４１の係止爪４１Ａを本係止凹部１５Ａに弾性係止させることにより、カバー４０を本係止位置に至らしめる。カバー４０の装着過程では、検知片４７の検知突部４７Ａが対応する検知片進入溝２９に前方から進入し、カバー４０の装着動作が案内される。そして、カバー４０が本係止位置に至ると、カバー４０の押さえ部４２Ｂがバスバー３０の後端部を押さえ付け、かつ、検知片４７の検知突部４７Ａが検知片進入溝２９に正規深さで進入する。すると、ハウジングロック部２１は、検知片４７の検知突部４７Ａによってロック解除方向となる上方への撓み変形動作が規制され、これにより各サブハウジング７０に対するハウジングロック部２１の係止の確実性が保障される。
【００３５】
このように、各サブハウジング７０が対応するハウジング収容室１３に正規挿入される場合には、ハウジングロック部２１がその根元から先端にかけてほぼ真直ぐ延びた正規姿勢をとって、その検知片進入溝２９の入り口とカバー４０側の検知片４７の先端とが整合位置するようになるから、カバー４０の組み付け動作に伴い検知片４７の検知突部４７Ａが対応する検知片進入溝２９にスムーズに進入して、カバー４０の組み付け動作が許容される。
【００３６】
一方、図３に示すように、各サブハウジング７０が半挿入状態にあると、つまり各サブハウジング７０が対応するハウジング収容室１３に正規挿入されるまでの途中段階にあると、ハウジングロック部２１がサブハウジング７０の係止受け部７１に押されて上方へ撓んだままの状態となる。すると、検知片進入溝２９の入り口とカバー４０側の検知片４７の先端とが整合位置からずれるため、ここから仮係止位置にあるカバー４０を前方へ押し込もうとしても、検知片４７の検知突部４７Ａの先端部がハウジングロック部２１の先端部と突き当たってそれ以上の押し込み動作が規制される。したがって、カバー４０のバスバー収容部１０への組み付け動作が規制されることをもって各サブハウジング７０が対応するハウジング収容室１３に正規挿入されていないことがわかる。その場合は、対応するサブハウジング７０をハウジング収容室１３の奥方へ押し込み、サブハウジング７０をハウジングロック部２１により弾性係止させればよい。
【００３７】
以上説明したように本実施形態によれば、カバー４０に突出して形成された検知片４７がハウジングロック部２１と非干渉とされる場合には、カバー４０のバスバー収容部１０への組み付け動作が許容され、これにより、各ハウジング収容室１３に、対応するサブハウジング７０が正規挿入されていることがわかる。一方、検知片４７がハウジングロック部２１と干渉する場合には、カバー４０のバスバー収容部１０への組み付け動作が規制され、これにより、各ハウジング収容室１３に、対応するサブハウジング７０が半挿入状態にあることがわかる。したがって、カバー４０がバスバー収容部１０に組み付け可能か否かによって各サブハウジング７０の挿入状態の正否を容易に判定できるようになる。しかも、カバー４０はかかる検査機能とバスバー３０を抜け止めするための機能を兼用しているから、部品点数を削減することができる。
【００３８】
また、検知片４７は、ハウジングロック部２１が正規姿勢をとる場合に、ハウジングロック部２１の露出部分を覆うようにしてそこに形成された検知片進入溝２９に進入する。したがって、ハウジングロック部２１がロック解除方向に不用意に撓み変形する事態を回避できるとともに、ハウジングロック部２１の露出部分を通してバスバー収容部１０内に異物が侵入するのを防止できる。さらに、この検知片進入溝２９が検知片４７の進入方向に延出して形成され、組み付け時におけるカバー４０のガイド機能を兼用しているから、部品点数を削減することができる。
さらにまた、カバー４０が仮係止位置と本係止位置との間を変位可能とされ、カバー４０が仮係止位置にあるときに、組み付け現場に移送するようにしたから、組み付け作業前に嵩張ったりするのを防止でき、取り扱い性が良好となる。
【００３９】
＜実施形態２＞
次に、本発明の実施形態２を図１３及び図１４によって説明する。実施形態２では、カバー４０側に検知片４７の検知突部４７Ａが形成されておらず、かつ、バスバー収容部１０側にハウジングロック部２１の検知片進入溝２９が形成されておらず、両者の担っていた各サブハウジング７０の検知機能を枠治具９０によって達成させている。その他は、実施形態１とほぼ同様であり、同じ構造部位には同一符号を付し、重複する説明は省略する。
【００４０】
すなわち、枠治具９０は、合成樹脂製であって、基台９１とその周縁から前方へ突出する周壁９２とにより全体として筒状をなし、その上面に形成された開口部９３Ａを通してバスバー収容部１０をカバー４０とともに収容可能な収容凹部９３を有し、さらにこの収容凹部９３の奥面（基台９１の前面）に凹設された収容溝９４に、リミットスイッチ９５の本体部９５Ａを嵌入固定して構成される。リミットスイッチ９５の本体部９５Ａからは斜めに延出するオン・オフレバー９５Ｂが形成され、このオン・オフレバー９５Ｂの延出端が収容凹部９３の内部に臨むようになっている。
【００４１】
収容凹部９３は、カバー４０付きのバスバー収容部１０の全体を緊密に嵌め込み可能な大きさをもって形成され、その内壁のうち、図示する左側の側壁における開口部９３Ａ寄りの位置には、断面Ｌの字形をなす顎部９６が段付状に切り欠いて形成されている。顎部９６は、バスバー収容部１０におけるハウジングロック部２１と対応する位置に設定されており、ハウジングロック部２１が正規姿勢をとっていれば、顎部９６にハウジングロック部２１が突き当たることなく通過するが、ハウジングロック部２１が正規姿勢から浮いた姿勢をとっていれば、顎部９６の内面のうちの前面を構成する受け面９６Ａに、ハウジングロック部２１が突き当たってバスバー収容部１０のそれ以上の押し込み動作が規制されるようになっている。
【００４２】
次に、実施形態２の作用を説明する。まず、各サブハウジング７０を対応するハウジング収容室１３に挿入し、各サブハウジング７０をハウジングロック部２１にて抜け止め状態に弾性係止する。続いて、カバー４０をバスバー収容部１０に被せ付け、弾性係止部４１の係止爪４１Ａを本係止凹部１５Ａに弾性係止させて、カバー４０をバスバー収容部１０に正規装着する。なお、実施形態２の場合には、バスバー収容部１０に仮係止凹部１５Ｂが形成されておらず、カバー４０は仮係止位置にて留め置かれることはない。
【００４３】
次いで、このカバー４０付きのバスバー収容部１０を枠治具９０の収容凹部９３に挿入し、各サブハウジング７０が正規挿入されたか否かの検査に付する。
この場合に、各サブハウジング７０が対応するハウジング収容室１３に正規挿入されていれば、ハウジングロック部２１がその根元から先端にかけて真直ぐ延びた正規姿勢をとるから、組み付け動作の途中でハウジングロック部２１が顎部９６の内面と干渉することはない。したがって、カバー４０付きのバスバー収容部１０は、収容凹部９３に正規深さで挿入されてリミットスイッチ９５のオン・オフレバー９５Ｂを押圧し、さらにその押圧状態を保ちつつカバー４０の後壁４３を収容凹部９３の奥面に当着させる。すると、オン・オフレバー９５Ｂが押し倒されてリミットスイッチ９５の本体部９５Ａに接続された電気回路に電気が流れ、もって各サブハウジング７０が正規挿入されたと判定される。
【００４４】
一方、各サブハウジング７０が対応するハウジング収容室１３に半挿入状態にあると、ハウジングロック部２１が正規姿勢から浮いた姿勢をとることになり、それがために組み付け動作の途中でハウジングロック部２１の先端部が顎部９６の受け面９６Ａに突き当たる。そうすると、カバー４０付きのバスバー収容部１０はオン・オフレバー９５Ｂの配設位置まで到達せず、これを押圧することができないから、電気回路に電気が流れることはない。その場合には、各サブハウジング７０が正規挿入されていないと判定されることになる。
【００４５】
実施形態２によれば、枠治具９０に段付状の受け面９６Ａを設けることで各サブハウジング７０の挿入状態の検査を可能としたから、治具構造の簡素化を図れる。また、リミットスイッチ９５により電気的に検知できるようにしたから、目視による場合に比べて見落としや見間違いを少なくすることができる。
【００４６】
＜実施形態３＞
図１５及び図１６は本発明の実施形態３を示す。実施形態３では、カバー４０、バスバー収容部１０、及びバスバー３０の各形態が実施形態２と同一であるが、相手側のサブハウジング７０の形態が実施形態２とは異なる。
【００４７】
ところで、実施形態１及び２の場合には、複数のサブハウジング７０が個別に色分けして識別されており、これにより雌端子金具が対応するバスバー３０に正規接続されるようになっている。しかし、色分けによる識別だけでは人為的なポカを生じ易く、工程内での誤挿入を完全に払拭するには至らない。そのため、より有効な誤挿入防止手段が希求されており、かかる事情に鑑みて実施形態３の技術が開発されたものである。
【００４８】
すなわち、実施形態３の各サブハウジング７０には、ハウジング収容室１３に正規挿入されたときにハウジング収容室１３の外側に露出する前端部に、サブハウジング７０の挿入順序を規制するための板状の規制片７９が一側方に張り出して形成されている。
【００４９】
ここで、一のサブハウジング７０に形成された規制片７９はそれに隣り合うサブハウジング７０の肩部７８を覆うように載置可能となっており、こうして隣接する者同士が規制片７９によって横方向に連なるようになっている。そして、サブハウジング７０のうち平面視して最右端に位置するサブハウジング７０Ａは、規制片７９を有しておらず、これが挿入順序の一番となるようにしてある。
【００５０】
したがって、この規制片７９のないサブハウジング７０Ａを最右端のハウジング収容室１３に挿入すれば、次なるサブハウジング７０は規制片７９の存在によってその隣りのハウジング収容室１３に挿入するのを余儀なくされる。同様に、残りのサブハウジング７０は、規制片７９の存在によって挿入済みのサブハウジング７０の隣りに位置するハウジング収容室１３に挿入するのを自動的に規定されることになる。
【００５１】
つまり、実施形態３は、サブハウジング７０をハウジング収容室１３に対して端から順番に挿入しないことにはその挿入動作が成立しない構成とされるから、サブハウジング７０の挿入順序が自ずと定まって、サブハウジング７０が誤った位置に挿入される可能性を減らすことができる。なお、この場合、実施形態１及び２と同様に、サブハウジング７０を個別に色分けして識別機能をもたせておけば、この規制片７９による挿入順序の規定機能と相俟って、工程内での誤挿入をより効果的に抑制できる。
【００５２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、検知片が各ハウジングロック部毎に対応して形成されていたが、本発明によれば、一つの検知片が全ハウジングロック部に一括して対応するように形成されてもよい。
（２）実施形態２では、枠治具の収容凹部にカバー付きのバスバー収容部の全体が挿入されるようになっていたが、本発明によれば、枠治具の収容凹部に少なくともハウジングロック部を含む部分が挿入されるものであればよい。
（３）実施形態２では、サブハウジングの挿入状態の正否をリミットスイッチにより電気的にチェックしていたが、本発明によれば、枠治具にリミットスイッチを配備することなく、収容凹部の開口部からのサブハウジングの突出具合を目視することにより、サブハウジングの挿入状態の正否をチェックするものであってもよい。こうすると、枠治具の構造がより簡素化される。
（４）バスバーの数やタブ片の本数は、回路構成に応じて設定し得るものであり、上記実施形態に限られない。
【図面の簡単な説明】
【００５３】
【図１】実施形態１において、カバーが仮係止位置にあるときの要部破断した左側面図
【図２】カバーが本係止位置にあるときの要部破断した左側面図
【図３】検知片がハウジングロック部に突き当たってカバーの組み付け動作が規制されるときの要部破断した左側面図
【図４】バスバー収容部の背面図
【図５】バスバー収容部の正面図
【図６】カバーの正面図
【図７】カバーとバスバー収容部とが分離状態にあるときの平面図
【図８】カバーとバスバー収容部とが分離状態にあるときの底面図
【図９】サブハウジングが正規挿入されたときの平面図
【図１０】カバーとバスバー収容部とが分離状態にあるときの左側面図
【図１１】カバーとバスバー収容部とが分離状態にあるときの右側面図
【図１２】バスバーの装着状態をあらわす横断面図
【図１３】実施形態２において、カバー付きのバスバー収容部が枠治具の収容凹部に正規挿入されたときの側断面図
【図１４】収容凹部の受け面にハウジングロック部が突き当たって組み付け動作が規制されたときの側断面図
【図１５】実施形態３において、サブハウジングが正規挿入されたときの平面図
【図１６】サブハウジングが正規挿入されたときの底面図
【符号の説明】
【００５４】
１…ジョイントコネクタ
１０…バスバー収容部
１１…バスバー装着部
２１…ハウジングロック部
２２…係止突部
２９…検知片進入溝
３０…バスバー
３１…バスバー本体
４０…カバー
４７…検知片
４７Ａ…検知突部
７０…サブハウジング
７１…係止受け部
【図１】
2006324045.tif 000003
【図２】
2006324045.tif 000004
【図３】
2006324045.tif 000005
【図４】
2006324045.tif 000006
【図５】
2006324045.tif 000007
【図６】
2006324045.tif 000008
【図７】
2006324045.tif 000009
【図８】
2006324045.tif 000010
【図９】
2006324045.tif 000011
【図１０】
2006324045.tif 000012
【図１１】
2006324045.tif 000013
【図１２】
2006324045.tif 000014
【図１３】
2006324045.tif 000015
【図１４】
2006324045.tif 000016
【図１５】
2006324045.tif 000017
【図１６】
2006324045.tif 000018